(57)【要約】      （修正有）【課題】入金時に障害が生じた場合でも、利便性を低下させることなく容易に復旧可能とする貨幣類取扱装置を提供する。【解決手段】入出金部と、識別部と、保留部と、入出金部から保留部まで貨幣を搬送する第１搬送部と、識別部によって真と識別された貨幣を収納する収納部と、保留部に蓄えられ、識別部によって真と判定された貨幣を収納部に搬送する第２搬送部と、識別部が貨幣が真であると識別し、第１の搬送部が搬送した貨幣の枚数である第１の枚数をカウントする入金カウント部と、識別部が貨幣が真であると識別し、第２の搬送部が搬送した貨幣の枚数である第２の枚数をカウントする収納カウント部と、第１の枚数と第２の枚数とを比較し、第２の枚数が第１の枚数以上となったか否かを判定し、第２の枚数が第１の枚数以上であると判定した場合に、その後搬送される貨幣を収納部とは異なる搬送先に搬送させるように、第２搬送部を制御する制御部と、を備える。【選択図】図９
2011039592.tif 000002
【特許請求の範囲】
【請求項１】
利用者との間で所定の取引を行う貨幣類取扱装置であって、
前記利用者から投入された貨幣を受け取る入出金部と、
前記入出金部が受け取った前記貨幣の真偽を識別する識別部と、
前記識別部によって識別された前記貨幣を一時的に蓄える保留部と、
前記入出金部から前記保留部まで前記貨幣を搬送する第１搬送部と、
前記識別部によって真と識別された貨幣を収納する収納部と、
前記保留部に蓄えられ、前記識別部によって真と判定された前記貨幣を前記収納部に搬送する第２搬送部と、
前記識別部が前記貨幣が真であると識別し、前記第１の搬送部が搬送した前記貨幣の枚数である第１の枚数をカウントする入金カウント部と、
前記識別部が前記貨幣が真であると識別し、前記第２の搬送部が搬送した前記貨幣の枚数である第２の枚数をカウントする収納カウント部と、
前記第１の枚数と前記第２の枚数とを比較し、前記第２の枚数が前記第１の枚数以上となったか否かを判定し、前記第２の枚数が前記第１の枚数以上であると判定した場合に、その後搬送される前記貨幣を前記収納部とは異なる搬送先に搬送させるように、前記第２搬送部を制御する制御部と、
を備えることを特徴とする貨幣類取扱装置。
【請求項２】
前記制御部は、前記第２の枚数が前記第１の枚数以上であると判定し、その後搬送される前記貨幣を前記第２搬送部によって前記収納部とは異なる搬送先に搬送させた場合に、前記利用者との間の前記所定の取引を終了させる、
ことを特徴とする請求項１に記載の貨幣類取扱装置。
【請求項３】
前記制御部は、前記第２の枚数が前記第１の枚数以上であると判定した場合において、その後搬送される前記貨幣を前記収納部とは異なる搬送先として前記保留部に搬送させる、
ことを特徴とする請求項１または２に記載の貨幣類取扱装置。
【発明の詳細な説明】
【技術分野】
【０００１】
本発明は、金融機関等における現金自動取扱装置や自動両替装置などの貨幣類取扱装置に関し、特に、硬貨の預入や払出等の取引を行う貨幣類取扱装置に関する。
【背景技術】
【０００２】
従来、現金自動取引装置（以下、ＡＴＭ：Automated-Teller Machineと呼ぶ。）においては、入出金口から利用者によって硬貨が投入されると、投入された硬貨を搬送路等を介して搬送し、その後、識別部を通して搬送された硬貨を計数し、計数した硬貨を一時保留部に保留させる動作（入金動作）を行う。
【０００３】
また、入金動作を行うと、ＡＴＭ前面に設けられたパネル等に、顧客に対して入金金額を確認するための確認画面を表示し、顧客の確認が行われると、一時保留部に保留していた硬貨を再度識別部に通し、通過した硬貨を計数し、計数した硬貨を金種別スタッカなどの装置内に取り込む動作（収納動作）を行う。このように、入金動作と収納動作が終了することによって、顧客の硬貨がＡＴＭ内に取り込まれ、その金額がＡＴＭを管理するセンタ等に送信される。
【０００４】
例えば、特許文献１には、顧客から入金された硬貨を識別部で正常貨であるか否かを識別し、その後、一時保留部において正常貨を一時的に保留し、取引成立時に入金された正常貨を金種別に収納する収納部が設けられた硬貨処理装置が開示されている。
【先行技術文献】
【特許文献】
【０００５】
【特許文献１】特開２００８−１３４９２４号公報
【発明の概要】
【発明が解決しようとする課題】
【０００６】
ところで、ＡＴＭでは、一般的に、スペース的な制約やコスト的な制約から、入金動作と収納動作では、搬送路や識別部等が共通して使用されるが、入金動作や収納動作に異常等が発生しない限り、通常は、入金動作時に計数した硬貨の枚数（入金枚数）と収納動作時に計数した硬貨の枚数（収納枚数）とは一致する。逆に、入金枚数と収納枚数とが不一致となるような場合、例えば、入金動作時に硬貨が搬送路上に残留し、収納動作において、その残留した硬貨を、一時保留部に蓄積された硬貨とともに搬送したような場合には、入金枚数と収納枚数とが不一致となった時点で、その取引を終了させ、顧客から入金された硬貨を返却する必要がある。
【０００７】
しかしながら、従来は顧客が入金した硬貨の一部または全部はすでに金種別スタッカ等に収納されているため、金種別スタッカ等に収納されている硬貨の枚数をカウントした上で入金された硬貨の枚数をカウントし、出金搬送路等を介して顧客に返却することとなる。すなわち、一度金種別スタッカ等に収納されているすべての硬貨をカウントした後に入金された硬貨の枚数をカウントしているため、硬貨の返却に時間が掛かり、その間顧客はＡＴＭを操作できず、利便性が低下してしまうという問題があった。
【０００８】
また、金種別スタッカ等に収納されている硬貨の枚数は、取引が行われる都度、ＡＴＭから上述したセンタに送信されるため、硬貨を顧客に返却した後にＡＴＭ内部で保有している硬貨の枚数と、センタ等に送信された硬貨の枚数とが不一致となる結果、違算障害が生じてしまう。このような違算障害を回避するために、両者の枚数を一致させるための煩雑な復旧処理を行う必要があるという問題があった。
【０００９】
本発明は、上記に鑑みてなされたものであって、入金時に障害が生じた場合であっても、利便性を低下させることなく容易に復旧可能とする貨幣類取扱装置を提供することを目的とする。
【課題を解決するための手段】
【００１０】
上述した目的を達成するために、本発明にかかる貨幣類取扱装置は、利用者との間で所定の取引を行う貨幣類取扱装置であって、前記利用者から投入された貨幣を受け取る入出金部と、前記入出金部が受け取った前記貨幣の真偽を識別する識別部と、前記識別部によって識別された前記貨幣を一時的に蓄える保留部と、前記入出金部から前記保留部まで前記貨幣を搬送する第１搬送部と、前記識別部によって真と識別された貨幣を収納する収納部と、前記保留部に蓄えられ、前記識別部によって真と判定された前記貨幣を前記収納部に搬送する第２搬送部と、前記識別部が前記貨幣が真であると識別し、前記第１の搬送部が搬送した前記貨幣の枚数である第１の枚数をカウントする入金カウント部と、前記識別部が前記貨幣が真であると識別し、前記第２の搬送部が搬送した前記貨幣の枚数である第２の枚数をカウントする収納カウント部と、前記第１の枚数と前記第２の枚数とを比較し、前記第２の枚数が前記第１の枚数以上となったか否かを判定し、前記第２の枚数が前記第１の枚数以上であると判定した場合に、その後搬送される前記貨幣を前記収納部とは異なる搬送先に搬送させるように、前記第２搬送部を制御する制御部と、を備えることを特徴とする。
【発明の効果】
【００１１】
本発明によれば、入金時に障害が生じた場合であっても、利便性を低下させることなく容易に復旧可能とする貨幣類取扱装置を提供することができる。
【図面の簡単な説明】
【００１２】
【図１】本実施形態にかかるＡＴＭの外観を示した図である。
【図２】図１に示す硬貨処理装置の概略構造を示す図である。
【図３】図１に示したコントローラと各部の主要部の構成を示すブロック図である。
【図４】硬貨処理装置が、入金処理を行う場合の硬貨の流れを示す図である。
【図５】硬貨処理装置が、収納入金処理を行う場合の硬貨の流れを示す図である（入出金口まで）。
【図６】硬貨処理装置が、収納入金処理を行う場合の硬貨の流れを示す図である（金種別スタッカまで）。
【図７】硬貨処理装置が、収納入金処理を行う場合の硬貨の流れを示す図である（硬貨返却まで）。
【図８】本実施形態において、硬貨処理装置が入金処理を行う場合の処理手順を示すフローチャートである。
【図９】本実施形態において、硬貨処理装置が収納処理を行う場合の処理手順を示すフローチャートである。
【発明を実施するための形態】
【００１３】
以下に添付図面を参照して、この発明にかかる貨幣類取扱装置の実施の形態を詳細に説明する。以下の説明では、貨幣類取扱装置を硬貨処理装置に適用した場合について説明しているがこれに限定されるものではない。
【００１４】
図１は、本実施形態にかかる現金自動取引装置（以下、ＡＴＭ：Automated-Teller Machineと呼ぶ。）１０００の外観を示した図である。ＡＴＭ１０００は、金融機関等に設置され、利用者の操作によって、貨幣の預入や払出等の各種の取引を行うものである。
【００１５】
図１に示すように、ＡＴＭ１０００は、操作部１０１と、カード明細書取扱部１０２と、通帳取扱部１０３と、紙幣取扱部１０４と、硬貨処理装置１０５と、を含んで構成されている。
【００１６】
操作部１０１は、表示部と入力部（いずれも不図示）とを含むタッチパネル等から構成されている。操作部１０１は、取引に関する操作案内（ガイダンス）や、入力された預入金額や払出金額等を表示したり、開始する取引の種類（例えば、預入や払出等）の指定や、預入金額や払出金額等の入力、あるいは入金した硬貨の枚数を確認するための確認画面を表示したり、入金した硬貨を収納するための指示を受け付ける。
【００１７】
また、操作部１０１は、後述するコントローラ１００のメイン制御部５１から、入金処理時の硬貨の枚数と収納処理時の硬貨の枚数とが不一致である旨を受けると、不図示の表示部にその旨のエラー表示（例えば、入金時の処理が異常である旨や、残留硬貨が生じた旨等の表示）をする。
【００１８】
カード明細書取扱部１０２は、カード機構部（不図示）と、明細書機構部（不図示）と、を含んで構成されている。
【００１９】
カード機構部は、利用者がＡＴＭ１０００との間で取引を行う場合に使用するキャッシュカードの挿入を受け付けたり、挿入されたキャッシュカードを排出する。また、明細書機構部は、取引した内容（例えば、入金金額等）を明細票に印字し、印字した明細票を排出する。
【００２０】
通帳取扱部１０３は、利用者がＡＴＭ１０００との間で取引を行う場合に使用する通帳の挿入を受け付け、取引した内容（例えば、入金金額等）を通帳の所定のページに印字し、取引が終了した場合等に、印字した通帳を排出する。
【００２１】
紙幣取扱部１０４は、利用者が取引する紙幣の取り出しや受け入れを行うための紙幣入出金口と、紙幣を収納する収納庫とを含んで構成されている。紙幣取扱部１０４は、紙幣入出金口に投入された紙幣の真偽を判定して収納庫に収納したり、操作部１０１から入力された入金金額等に応じて、収納庫に収納されている紙幣を繰り出し、入出金口に排出する。
【００２２】
硬貨処理装置１０５は、利用者が投入した硬貨を計数して収納したり、操作部１０１の入力部から入力された入金金額等に応じて、収納庫に収納されている硬貨を繰り出して入出金口に排出するものである。
【００２３】
図２は、図１に示した硬貨処理装置１０５の概略構造を示す図である。図２に示すように、硬貨処理装置１０５は、シャッタ１と、入出金口２と、繰り出し部３と、硬貨識別部４と、一時保留部５と、返却搬送部６と、出金搬送部７と、入金搬送部８と、金種別スタッカ９と、横搬送部１０と、出金判別センサ１１と、運用カートリッジ１２と、縦搬送部１３と、一括スタッカ１４と、コントローラ１００と、を含んで構成されている。
【００２４】
シャッタ１は、操作部１０１が、指定された取引の種類や、入金金額等の数値や取引を終了する旨の指定を受け付けると、コントローラ１００からの指示に応じて、入出金口３のオープンやクローズを行う。
【００２５】
入出金口２は、利用者が投入した硬貨を受け入れ、受け入れた硬貨を一時的に保持するものである。入出金口２の下部は、コントローラ１００からの指示によって開閉し、一時的に保持した硬貨を繰り出し部３に排出することが可能となっている。
【００２６】
繰り出し部３は、例えば、操作部１０１が、取引の種類の指定を受け付けると、入出金口２から排出された硬貨を、１枚ずつの硬貨に分離し、分離した硬貨を硬貨識別部４に送り出す。
【００２７】
硬貨識別部４は、繰り出し部３が送り出した硬貨の金種を判定し、判定した金種の硬貨の真偽を識別するものである。硬貨識別部４は、繰り出し部３から搬送された硬貨が、真硬貨であると判定した場合には、その真硬貨を一時保留部５に出力し、偽硬貨であると判定した場合には、その偽硬貨を返却搬送部６に出力する。
【００２８】
また、硬貨識別部４は、硬貨の真偽を判定して真硬貨を一時保留部５に出力し、その後、真硬貨が出金搬送部７、入出金口２を通過して、再び繰り出し部３によって送り出された場合に、送りだされた真硬貨の金種を判別し、判別した金種の硬貨を、入金搬送部８に搬送する。
【００２９】
一時保留部５は、硬貨識別部４から出力された真硬貨を、一時的に蓄え、一定の時間が経過した場合に、一時的に蓄えた硬貨を出金搬送部７や回収カートリッジ１５に搬送するものである。
【００３０】
返却搬送部６は、硬貨識別部４から出力された偽硬貨を、出金搬送部７や一括スタッカ１４等に排出するものである。返却搬送部６は、硬貨識別部４から偽硬貨が出力される都度、順次、偽硬貨をこれらの各部に排出する。
【００３１】
出金搬送部７は、一時保留部５から真硬貨が排出され、または返却搬送部６から偽硬貨が排出されると、排出された真硬貨や偽硬貨を、１枚ずつの硬貨に分離し、分離した硬貨を入出金口３に搬送する。また、出金搬送部７は、横搬送部１０から搬送された硬貨を、１枚ずつの硬貨に分離し、分離した硬貨を入出金口３に搬送する。
【００３２】
入金搬送部８は、硬貨識別部４から搬送された真硬貨を金種別スタッカ９に搬送する。入金搬送部８には、金種ごとに硬貨識別部４から搬送される硬貨を金種別スタッカ９に収納するための搬送路（不図示）が、金種ごとに設けられている。したがって、硬貨識別部４は、硬貨の金種を判定すると、判定した金種の搬送路に硬貨が出力される。
【００３３】
金種別スタッカ９は、金種ごとに硬貨を収納するものである。金種別スタッカ９に収納された各硬貨は、コントローラ１００からの指示によって、横搬送部１０に出力される。
【００３４】
横搬送部１０は、金種別スタッカ９から出力された硬貨を、出金搬送部７に搬送するものである。
【００３５】
出金判別センサ１１は、出金搬送部７が入出金口２に搬送した硬貨の金種を判別し、硬貨が通過したか否かを検知するものである。
【００３６】
運用カートリッジ１２は、金種別スタッカ９に硬貨が収納されていない等の状態となった場合に補充する硬貨をあらかじめストックしておくボックス等である。
【００３７】
縦搬送部１３は、運用カートリッジ１２にストックされている硬貨を、出金搬送部７に搬送するものである。
【００３８】
一括スタッカ１４は、金種別スタッカ９が収納している硬貨や、一時保留部５が蓄えている硬貨の枚数が所定の枚数を超え、金種別スタッカ９や一時保留部５に収納等できなくなった場合に、剰余分の硬貨をストックしておくボックス等である。
【００３９】
コントローラ１００は、ＣＰＵ（Central  Processing  Unit）等のプロセッサから構成され、上述した硬貨処理装置１０５の各部の動作を制御する。図３は、図１に示したコントローラ１００と上述した各部の主要部の構成を示すブロック図である。図３に示すように、コントローラ１００は、メイン制御部５１と、メモリ５８と、入金計数カウンタ１００１と、収納識別カウンタ１００２と、金種別スタッカ搬送カウンタ１００３と、を含んで構成されている。なお、メモリ５８は、ＲＡＭ（Random  Access  Memory）等の記憶媒体から構成され、上述した各カウンタのカウント値を一時的に記憶するものである。
【００４０】
メイン制御部５１は、操作部１０１からの指示に応じて、上述した各部の動作を制御する。
【００４１】
具体的には、操作部１０１が顧客からの取引開始の指示を受け付けると、後述するメモリ５８に記憶されている入金計数カウンタ１００１のカウント値を初期化して入金処理を開始する。
【００４２】
ここで、入金処理とは、顧客からの操作によって操作部１０１が預入取引の指定を受け付けると、入出金口２をオープンして硬貨の投入を受け入れ、受け入れられた硬貨を硬貨識別部４まで搬送し、硬貨識別部４によって硬貨の真偽等が判定され、真と判定された硬貨（正貨）の枚数を入金計数カウンタ１００１によってカウントするとともに一時保留部５に保留させるまでの一連の処理を指す。また、この入金処理を行う硬貨処理装置１０５の各部を総称して第１の搬送部と呼ぶこともある。
【００４３】
メイン制御部５１は、入金計数カウンタ１００１のカウントを初期化すると、その後、入出金口２をオープンさせて硬貨の投入を受け付け、繰出し部３を制御して投入された硬貨を１枚ずつ分離し、分離された硬貨の搬送を開始させる。
【００４４】
その後、硬貨が搬送されると、１枚ずつ搬送された硬貨を硬貨識別部４は、搬送された硬貨が正貨であるか否かを金種ごとに判定する。メイン制御部５１は、硬貨識別部４が、搬送された硬貨が正貨であると判定した場合、入金計数カウンタ１００１のカウント値をカウントアップさせるとともに、搬送された硬貨を一時保留部５に搬送させる。
【００４５】
また、メイン制御部５１は、硬貨識別部４が、搬送された硬貨が正貨ではないと判定した場合、出金搬送部７を制御して、搬送された硬貨を入出金口２に搬送させる。そして、硬貨識別部４によって判定された硬貨が、入出金口２または一時保留部５に搬送されると、メイン制御部５１は、入金処理を行っていた繰出し部３等の各部の動作を停止させる。
【００４６】
さらに、メイン制御部５１は、繰出し部３等の各部の動作を停止させると、入金計数カウンタ１００１がカウントアップしたカウント値をメモリ５８に記憶させる。
【００４７】
また、メイン制御部５１は、顧客から操作部１０１が入金した硬貨を収納するための指示を受け付けると、収納識別カウンタ１００２を初期化して収納処理を開始する。
【００４８】
ここで、収納処理とは、一時保留部５に保留していた硬貨を、ふたたび硬貨識別部４に通し、硬貨識別部４を通過した硬貨の枚数を計数し、金種別スタッカ９等の硬貨処理装置１０５の内部に取り込むまでの一連の処理を指す。また、この収納処理を行う硬貨処理装置１０５の各部を総称して第２の搬送部と呼ぶこともある。
【００４９】
メイン制御部５１は、収納識別カウンタ１００２を初期化すると、一時保留部５に保留されている硬貨を出金搬送部７に落下させ、出金搬送部７が硬貨を入出金口２まで搬送させるように制御する。
【００５０】
そして、メイン制御部５１は、入金処理の場合と同様に、繰出し部３を制御して入出金口２まで搬送された硬貨を硬貨識別部４まで搬送させる。繰出し部３によって硬貨が搬送されると、硬貨識別部４は、搬送された硬貨が正貨であるか否かを金種ごとに判定する。
【００５１】
また、メイン制御部５１は、硬貨識別部４が、搬送された硬貨が正貨であると判定した場合、収納識別カウンタ１００２のカウント値をカウントアップさせるとともに、カウントアップした収納識別カウンタ１００２のカウント値と、入金計数カウンタ１００１のカウント値とを比較し、収納識別カウンタ１００２のカウント値が入金計数カウンタ１００１のカウント値以上であるか否かを判定する。
【００５２】
そして、メイン制御部５１は、収納識別カウンタ１００２のカウント値が入金計数カウンタ１００１のカウント値以上であると判定した場合、入金搬送部８を制御して、その後搬送される硬貨を一時保留部５に保留させる。
【００５３】
一方、メイン制御部５１は、収納識別カウンタ１００２のカウント値が入金計数カウンタ１００１のカウント値以上ではないと判定した場合、入金搬送部８を制御して、搬送される硬貨を金種別スタッカ９に収納させ、金種別スタッカ搬送カウンタ１００３のカウント値をカウントアップさせる。
【００５４】
なお、メイン制御部５１は、硬貨識別部４が、搬送された硬貨が正貨ではないと判定した場合、硬貨識別部４によって判定された硬貨（すなわち偽貨）を不図示のリジェクトボックスに収納させる。
【００５５】
そして、メイン制御部５１は、硬貨識別部４によって判定された硬貨が、金種別スタッカ９または一時保留部５、あるいは不図示のリジェクトボックスに搬送されると、収納処理を行っていた繰出し部３等の各部の動作を停止させ、操作部１０１に入金処理時の硬貨の枚数と収納処理時の硬貨の枚数とが不一致である旨を通知し、処理を異常終了させる。
【００５６】
入金計数カウンタ１００１は、入金処理時に、硬貨識別部４によって正貨と判定され、一時保留部５に出力された硬貨の枚数をカウントするカウンタである。
【００５７】
収納識別カウンタ１００２は、収納処理時に、硬貨識別部４によって正貨と判定され、入金搬送部８によって金種別スタッカ９に搬送される硬貨の枚数をカウントするカウンタである。
【００５８】
金種別スタッカ搬送カウンタ１００３は、収納処理時に、入金搬送部８によって搬送され、金種別スタッカ９に収納された硬貨の枚数をカウントするカウンタである。
【００５９】
図４は、硬貨処理装置１０５が、上述した入金処理を行う場合の硬貨の流れを示す図である。図４に示すように、硬貨処理装置１０５が入金処理を行う場合、顧客によって投入された硬貨は、入出金口２から繰り出し部３に排出され、その後、硬貨識別部４によって正貨か否かが判定された後、正貨が一時保留部５に保留される。
【００６０】
また、図５〜図７は、硬貨処理装置１０５が、上述した収納処理を行う場合の硬貨の流れを示す図である。図５に示すように、硬貨処理装置１０５が収納処理を行う場合、
一時保留部５に保留されている硬貨が落下して出金搬送部７によって入出金口２まで搬送される。
【００６１】
その後、図６に示すように、入出金口２に搬送された硬貨は、繰出し部３によって硬貨識別部４まで搬送され、搬送された硬貨を硬貨識別部４が正貨であり、かつ収納識別カウンタ１００２のカウント値が入金計数カウンタ１００１のカウント値以上であると判定した場合、入金搬送部８によって金種別スタッカ９に搬送され、収納される。
【００６２】
一方、硬貨識別部４が、搬送された硬貨が正貨ではあるものの、収納識別カウンタ１００２のカウント値が入金計数カウンタ１００１のカウント値以上ではないと判定した場合、図７に示すように、再び一時保留部５を経由して、入出金口２に搬送される（硬貨Ｃ）。
【００６３】
続いて、上述した硬貨処理装置１０５で行われる入金処理および収納処理について説明する。
【００６４】
図８は、硬貨処理装置１０５が入金処理を行う場合の処理手順を示すフローチャートである。以下の説明では、利用者によって取引の種類として「入金」が指定されたものとする。
【００６５】
図８に示すように、まず、メイン制御部５１は、操作部１０１が顧客からの取引開始の指示を受け付けると、入金計数カウンタ１００１のカウント値を初期化する（ステップＳ８０１）。
【００６６】
そして、メイン制御部５１は、入出金口２をオープンさせて硬貨の投入を受け付け、繰出し部３を制御して投入された硬貨を１枚ずつ分離し、分離された硬貨の搬送を開始させる（ステップＳ８０２）。
【００６７】
その後、硬貨識別部４は、搬送された硬貨が正貨であるか否かを金種ごとに判定し（ステップＳ８０３）、硬貨識別部４が搬送された硬貨が正貨であると判定した場合（ステップＳ８０３；Ｙｅｓ）、メイン制御部５１は、入金計数カウンタ１００１のカウント値をカウントアップさせ（ステップＳ８０４）、搬送された硬貨を一時保留部５に搬送させる（ステップＳ８０５）。
【００６８】
一方、メイン制御部５１は、硬貨識別部４が、搬送された硬貨が正貨ではないと判定した場合（ステップＳ８０３；Ｎｏ）、出金搬送部７を制御して、搬送された硬貨を入出金口２に搬送させる（ステップＳ８０６）。
【００６９】
その後、メイン制御部５１は、入金処理を行っていた繰出し部３等の各部の動作を停止させ（ステップＳ８０７）、入金計数カウンタ１００１がカウントアップしたカウント値をメモリ５８に記憶させる（ステップＳ８０８）。このステップＳ８０８が終了すると、本実施の形態における入金処理が終了する。
【００７０】
ＡＴＭ１００の操作部１０１は、入金した硬貨の枚数を確認するための確認画面を表示し、入金した硬貨を収納するための指示を顧客から受け付ける。操作部１０１がこの指示を受け付けると、収納処理を開始する。
【００７１】
図９は、硬貨処理装置１０５が収納処理を行う場合の処理手順を示すフローチャートである。
【００７２】
図９に示すように、まず、メイン制御部５１は、操作部１０１が顧客から硬貨を収納するための指示を受け付けると、収納識別カウンタ１００２のカウント値を初期化し（ステップＳ９０１）、出金搬送部７や繰出し部３等を動作させて収納処理を開始する（ステップＳ９０２）。
【００７３】
その後、繰出し部３によって硬貨が搬送されると、硬貨識別部４は、搬送された硬貨が正貨であるか否かを金種ごとに判定する（ステップＳ９０３）。
【００７４】
そして、硬貨識別部４が搬送された硬貨が正貨であると判定した場合（ステップＳ９０３；Ｙｅｓ）、メイン制御部５１は、収納識別カウンタ１００２のカウント値をカウントアップさせ（ステップＳ９０４）、さらに、カウントアップした収納識別カウンタ１００２のカウント値と、入金計数カウンタ１００１のカウント値とを比較し、収納識別カウンタ１００２のカウント値が入金計数カウンタ１００１のカウント値以上であるか否かを判定する（ステップＳ９０５）。
【００７５】
そして、メイン制御部５１は、収納識別カウンタ１００２のカウント値が入金計数カウンタ１００１のカウント値以上であると判定した場合（ステップＳ９０５；Ｙｅｓ）、入金搬送部８を制御して、その後搬送される硬貨を一時保留部５に保留させる（ステップＳ９０８）。
【００７６】
一方、メイン制御部５１は、収納識別カウンタ１００２のカウント値が入金計数カウンタ１００１のカウント値以上ではないと判定した場合（ステップＳ９０５；Ｎｏ）、入金搬送部８を制御して、搬送される硬貨を金種別スタッカ９に収納させ（ステップＳ９０６）、金種別スタッカ搬送カウンタ１００３のカウント値をカウントアップさせる（ステップＳ９０７）。
【００７７】
また、メイン制御部５１は、硬貨識別部４が、搬送された硬貨が正貨ではないと判定した場合（ステップＳ９０３；Ｎｏ）、硬貨識別部４によって判定された硬貨を不図示のリジェクトボックスに収納させる（ステップＳ９０９）。
【００７８】
その後、メイン制御部５１は、ステップＳ９０７〜Ｓ９０９のいずれかの処理が終了すると、収納処理を行っていた繰出し部３等の各部の動作を停止させ（ステップＳ９１０）、操作部１０１に入金処理時の硬貨の枚数と収納処理時の硬貨の枚数とが不一致である旨を通知し、処理を異常終了させる（ステップＳ９１１）。このステップＳ９１１の処理が終了すると、本実施の形態における収納処理が終了する。
【００７９】
そして、ＡＴＭ１０００は、金種別スタッカ９に収納された硬貨の枚数（すなわち、金種別スタッカ搬送カウンタ１００３のカウント値）をセンタ等に送信する。
【００８０】
このように、利用者との間で所定の取引を行うＡＴＭ１０００において、入出金口２が利用者から投入された貨幣を受け取り、硬貨識別部４が、入出金口２が受け取った硬貨の真偽を識別し、一時保留部５が、硬貨識別部４によって識別された硬貨貨幣を一時的に蓄え、第１搬送部（繰出し部３等）が、入出金口２から一時保留部５まで硬貨を搬送し、金種別スタッカ９が、硬貨識別部４によって真と識別された硬貨を収納し、第２搬送部（出金搬送部７等）が、一時保留部５に蓄えられ、硬貨識別部４によって真と判定された硬貨を金種別スタッカ９に搬送し、入金計数カウンタ１００１が、硬貨識別部４が硬貨が真であると識別し、第１の搬送部が搬送した硬貨の枚数である第１の枚数をカウントし、収納識別カウンタ１００２が、硬貨識別部４が硬貨が真であると識別し、第２の搬送部が搬送した硬貨の枚数である第２の枚数をカウントし、メイン制御部５１が、第１の枚数と第２の枚数とを比較し、第２の枚数が第１の枚数以上となったか否かを判定し、第２の枚数が第１の枚数以上であると判定した場合に、その後搬送される硬貨を金種別スタッカ９とは異なる搬送先に搬送させるように第２搬送部を制御するので、入金時に障害が生じた場合であっても、利便性を低下させることなく容易に復旧可能とすることができる。
【００８１】
また、ＡＴＭ１０００が入金処理および収納処理を行った場合において、入金処理と収納処理とにおいて取り扱った硬貨の枚数が異なる場合（収納処理における硬貨の枚数が多い場合）、その差分の硬貨は金種別スタッカ９には収納されず、一時保留部５に保留され、処理が異常であるとして、顧客にその差分の枚数の硬貨を返却するので、ＡＴＭ１０００の内部に収納されている硬貨の枚数と、センタ等に送信する硬貨の枚数に違算が生じることはない。
【００８２】
上述した入金処理および収納処理における硬貨の制御は、硬貨処理装置の場合に限らず、例えば、紙幣を硬貨に両替する両替機や、硬貨以外のメダルや、紙幣、あるいは有価証券等を取り扱う装置にも適用することができる。
【００８３】
なお、本発明は、上記実施の形態そのままに限定されるものではなく、実施段階ではその要旨を逸脱しない範囲で構成要素を変形して具体化することができる。また、上記実施の形態に開示されている複数の構成要素の適宜な組み合わせにより、種々の発明を形成することができる。例えば、実施の形態に示される全構成要素からいくつかの構成要素を削除してもよい。さらに、異なる実施の形態にわたる構成要素を適宜組み合わせても良い。
【符号の説明】
【００８４】
１０００…ＡＴＭ、１０１…操作部、１０２…カード明細書取扱部、１０３…通帳取扱部、１０４…紙幣取扱部、１０５…硬貨処理装置、１…シャッタ、２…入出金口、３…繰り出し部、４…硬貨識別部、５…一時保留部、６…返却搬送部、７…出金搬送部、８…入金搬送部、９…金種別スタッカ、１０…横搬送部、１１…出金判別センサ、１２…運用カートリッジ、１３…縦搬送部、１４…一括スタッカ、５１…メイン制御部、５８…メモリ、１００…コントローラ、１００１…入金計数カウンタ、１００２…収納識別カウンタ、１００３…金種別スタッカ搬送カウンタ、Ｃ…硬貨。
【図１】
2011039592.tif 000003
【図２】
2011039592.tif 000004
【図３】
2011039592.tif 000005
【図４】
2011039592.tif 000006
【図５】
2011039592.tif 000007
【図６】
2011039592.tif 000008
【図７】
2011039592.tif 000009
【図８】
2011039592.tif 000010
【図９】
2011039592.tif 000011